(57)【要約】【課題】遠赤外線の加熱効果と、マイクロ紫外線の殺菌効果と、水流噴射ノズルによるＳＰＡ水療効果と、蒸気によるサウナ効果とを同時に達成でき、且つどんな場所でも設置可能な施療機を提供する。【解決手段】少なくとも、上蓋（１１）と、本体（１２）と、台座（１３）とを含む施療機において、前記上蓋（１１）の窪み面（１１２）には、遠赤外線およびマイクロ紫外線を放射する発熱灯管（１１３）と、水流噴射ノズル（１１４）とが複数箇所に設けてあり、前記本体（１２）の内部には、蒸気製造機（１２７）と、横亘り板（１２０）とが設けてあり、前記台座（１３）の内部には、吸水ポンプ（１３０）と、水位センサ（１３１）と、貯水部（１３２）とが設けられている。【選択図】図１
0003126591.tif 000002
【実用新案登録請求の範囲】
【請求項１】
少なくとも、上蓋（１１）と、本体（１２）と、台座（１３）とを含む施療機において、
前記上蓋（１１）の窪み面（１１２）には、遠赤外線およびマイクロ紫外線を放射する発熱灯管（１１３）と、水流噴射ノズル（１１４）とが複数箇所に設けられており、
前記本体（１２）の内部には、蒸気製造機（１２７）と、横亘り板（１２０）とが設けられ、前記横亘り板（１２０）には、加熱させて遠赤外線を放射する一つ以上のプレート（１２１）が嵌め込まれており、
前記台座（１３）の内部には、吸水ポンプ（１３０）と、水位センサ（１３１）と、貯水部（１３２）とが設けてあること
を特徴とする施療機。
【請求項２】
前記横亘り板（１２０）には一つ以上の窪み面（１２２）が設けてあり、前記窪み面（１２２）の形状と一致するプレート（１２１）が前記窪み面（１２２）に対して嵌め込まれ、前記各窪み面（１２２）内には蒸気出口（１２３）が設けてあることを特徴とする請求項１に記載の施療機。
【請求項３】
前記水流噴射ノズル（１１４）と、前記水流噴射ノズル（１１４）の開閉制御を行うマグネットスイッチ（１１５）とを、同一管路上の上流側から下流側に向って繰り返し配置し、本体（１２）に設置された制御パネル（１２４）により、前記水流噴射ノズル（１１４）の作動時間と作動順序とを決定し、これに応じて前記マグネットスイッチ（１１５）を制御することによって、上流側から下流側に向って前記水流噴射ノズル（１１４）が順次噴射可能となることを特徴とする請求項１又は請求項２に記載の施療機。
【考案の詳細な説明】
【技術分野】
【０００１】
本考案は施療機に関するものである。
【背景技術】
【０００２】
現代の国民の生活は極めて忙しく、仕事以外の時間には、運動をして体を鍛錬し健康を維持する他、「物理的施療法」も国民に愛用されるようになっている。物理的施療法としては、古くからツボ按摩法が行われているが、現在ではＳＰＡ水療法があり、物理的施療法を受けたあとは、体の血行循環が良くなる。
【０００３】
近年、市販されている物理的施療を実施する機器としては多種類ある。例えば家庭内のトイレ又はバスルームに設置される、蒸気機や按摩浴槽があるが、これらによれば、家庭内でもサウナまたはマッサージを楽しむことができる。
【考案の開示】
【考案が解決しようとする課題】
【０００４】
しかしながら、蒸気機は極めて高価な製品であるので、一般の国民は容易には購入できず、且つ蒸気機を設置するとトイレ又はバスルームのかなりのスペースを占めてしまうという欠点があった。また、蒸気機は単に蒸気によって物理的な施療を実施するので、治療効果はあまり高いとはいえない上、被施療者が蒸気のこもった室内で長時間に亘って留まると、意識が遠のいて倒れてしまう危険性がある。
【０００５】
また、市販されている、気泡と水流とによって人体を按摩する按摩浴槽も、極めて高価な製品であるので、一般の国民は容易には購入できず、且つ按摩浴槽の設置はトイレ又はバスルームのかなりのスペースを占め、また、水道水を大量に消費してしまうという欠点があった。そして按摩浴槽は単に按摩効果を有するのみであるで、治療効果はあまり高いとはいえないものであった。
【課題を解決するための手段】
【０００６】
上記欠点を解決するためになされた本願の考案は、少なくとも、上蓋（１１）と、本体（１２）と、台座（１３）とを含む施療機において、前記上蓋（１１）の窪み面（１１２）には、遠赤外線およびマイクロ紫外線を放射する発熱灯管（１１３）と、水流噴射ノズル（１１４）とが複数箇所に設けられており、前記本体（１２）の内部には、蒸気製造機（１２７）と、横亘り板（１２０）とが設けられ、前記横亘り板（１２０）には、加熱させて遠赤外線を放射する一つ以上のプレート（１２１）が嵌め込まれており、前記台座（１３）の内部には、吸水ポンプ（１３０）と、水位センサ（１３１）と、貯水部（１３２）とが設けてあることを要旨としている。
【０００７】
また、本願の考案では、前記横亘り板（１２０）には一つ以上の窪み面（１２２）が設けてあり、前記窪み面（１２２）の形状と一致するプレート（１２１）が前記窪み面（１２２）に対して嵌め込まれ、前記各窪み面（１２２）内には蒸気出口（１２３）が設けてあることを特徴とする請求項１に記載の施療機であることを要旨としている。
【０００８】
また、本願の考案では、前記水流噴射ノズル（１１４）と、前記水流噴射ノズル（１１４）の開閉制御を行うマグネットスイッチ（１１５）とを、同一管路上の上流側から下流側に向って繰り返し配置し、本体（１２）に設置された制御パネル（１２４）により、前記水流噴射ノズル（１１４）の作動時間と作動順序とを決定し、これに応じて前記マグネットスイッチ（１１５）を制御することによって、上流側から下流側に向って前記水流噴射ノズル（１１４）が順次噴射可能となることを特徴とする請求項１又は請求項２に記載の施療機であることを要旨としている。
【考案の効果】
【０００９】
本考案の施療機によれば、次のような効果がある。
【００１０】
（イ）遠赤外線発熱灯管と、マイクロ紫外線発熱灯管と、複数の強力ノズルと、蒸気の加熱によって遠赤外線を放射するプレートとを有するので、遠赤外線の加熱効果と、マイクロ紫外線の殺菌効果と、強力ノズルの水流噴射によるＳＰＡ水療効果と、蒸気によるサウナ効果とを同時に達成できる。
【００１１】
（ロ）本考案の施療機の台座は貯水箱であり、廃水が貯水箱に一旦貯水され、台座内に設置される水位センサを通じて、貯水箱内の廃水の水位が制御パネルで表示され、ユーザーは廃水の水量を把握することができ、従って、床面に排水口がない場所でも、本考案の施療機を設置することができる。
【考案を実施するための最良の形態】
【００１２】
以下、添付図面を参照して本考案の好適な実施の形態を詳細に説明する。
【００１３】
まず、図１と図２を参照する。図１は、本考案の施療機の概略斜視図、図２は、本考案の施療機の台座の側面図である。本考案の施療機は、主に、一つの上蓋１１と、一つの本体１２と、一つの台座１３とを含み、前記上蓋１１と前記本体１２との連接箇所では、支持ロッド１１０と、油圧ロッド１１１とが設けてあり、前記支持ロッド１１０と油圧ロッド１１１により開けられた前記上蓋１１の重量が支持されて開放状態が維持されるようになっている。なお、手で前記上蓋１１を下方へ押すことにより前記上蓋１１はスムーズに閉鎖することができる。なお、本実施の形態では、上蓋や台座が一つで構成される例を説明したが、二つ以上で構成されてもよく、適宜変更可能である。
【００１４】
図３は、本考案の施療機の上蓋の窪み面を示す概略図である。前記上蓋１１は、窪み式のカバーであり、図３に示すように、その窪み面１１２には、遠赤外線およびマイクロ紫外線を放射する発熱灯管１１３が長軸方向に沿って等間隔で配置され、本実施の形態では、前記発熱灯管１１３が四つ配されている。また、前記発熱灯管１１３の両側には複数の水流噴射ノズル１１４がそれぞれ設けてあり、本実施の形態では、各側に前記水流噴射ノズル１１４がそれぞれ６個設けられ、長軸方向に沿って等間隔で配置されている。
【００１５】
図４は、本考案の施療機の横亘り板とプレートとの組付方法を示す分解斜視図、図５は、本考案の施療機の横亘り板とプレートとの組合状態を示す図である。前記本体１２は、一つの蒸気製造機１２７と、一つの横亘り板１２０とを含み、図４と図５に示すように、前記横亘り板１２０が前記本体１２の内部に設置され、前記横亘り板１２０の外縁と、前記本体１２の内縁との間には一定距離を持つ隙間が設けられている。なお、前記横亘り板１２０にはプレート１２１を嵌合するための窪み面１２２が複数箇所に設けてあり、各窪み面１２２には蒸気出口１２３が形成されている。前記プレート１２１の外形と前記横亘り板１２０の窪み面１２２の形状とが一致している。また、前記横亘り板１２０の各窪み面１２２に設置されるプレート１２１は、蒸気で加熱すると遠赤外線が放射されるようになっており、これにより施療が実現される。なお、本実施の形態では、蒸気製造機や横亘り板が一つで構成される例を説明したが、二つ以上で構成されてもよく、適宜変更可能である。
【００１６】
前記本体１２の底部に設置される台座１３の内部には、一つの吸水ポンプ１３０と、一つの水位センサ１３１と、一つの貯水部１３２とが設けてある。なお、本実施の形態では、吸水ポンプや水位センサ、貯水部が一つで構成される例を説明したが、二つ以上で構成されてもよく、適宜変更可能である。
【００１７】
図６は、本考案の施療機の蒸気製造の経路を示す図である。前記本体１２の前面に設けられる制御パネル１２４を操作することにより本考案の施療機の動作を制御して、前記本体１２の制御パネル１２４の下に設けられる、給湯口１２５と、給水口１２６とにより、湯及び／又は水が前記台座１３内の吸水ポンプ１３０によって送られ、前記吸水ポンプ１３０によって湯及び／又は水が各水流噴射ノズル１１４に送られ、湯及び／又は水が、水流噴射ノズル１１４から噴射されるようになっている。これによって、本考案の施療機によるＳＰＡ効果が実現される。
【００１８】
図７は、本考案の施療機の水流噴射ノズルの管路を示す図である。図７に示すように、前記上蓋１１に設けられる複数の水流噴射ノズル１１４は、前記窪み面１１２に設けられる６個のマグネットスイッチ（ＭＳ）１１５によって制御され、各マグネットスイッチ１１５が二つの水流噴射ノズル１１４を制御するようになっている。水流噴射ノズル１１４及びマグネットスイッチ１１５は、２列に分かれて管路上に設けられ、片列当たり６個の水流噴射ノズル１１４と３個のマグネットスイッチ１１５が配置されている。吸水ポンプ１３０に最も近い側に１個のマグネットスイッチ１１５を配し、その下流側に２個の水流噴射ノズル１１４を配し、以下同様にして１個のマグネットスイッチ１１５と２個の水流噴射ノズル１１４の組合せで繰り返し配置されている。
【００１９】
このような構成において、総てのマグネットスイッチ１１５が閉状態である場合には、いずれの水流噴射ノズル１１４からも湯及び／又は水は噴射されないが、吸水ポンプ１３０に最も近い側の各列のマグネットスイッチ１１５を開状態とすると、その下流側の片列２個計４個の水流噴射ノズル１１４に湯及び／又は水が供給されて噴射される。さらに下流側の各列のマグネットスイッチ１１５を開状態とすると、その下流側の片列２個計４個の水流噴射ノズル１１４にも湯及び／又は水が供給され、片列４個計８個の噴射ノズル１１４によって湯及び／又は水が噴射される。同様に最も下流側の各列のマグネットスイッチ１１５を開状態とすると、その下流側の片列２個計４個の水流噴射ノズル１１４にも湯及び／又は水が供給され、片列６個計１２個の噴射ノズル１１４によって湯及び／又は水が噴射されるようになる。このように、全１２個の水流噴射ノズル１１４は、４個１組で計３組に分けられて、マグネットスイッチ１１５の開閉制御によって前記１組水流噴射ノズル１１４ごとに順次噴射可能となっている。本体１２に設置された制御パネル１２４によって各組の４個の水流噴射ノズル１１４の作動時間と作動順序が決定され、それに応じてマグネットスイッチ１１５が制御されるようになっている。このように前記各水流噴射ノズル１１４から湯及び／又は水が噴射されることにより、ＳＰＡ効果が実現される。
【００２０】
また、図１に示すように、前記１２個の水流噴射ノズル１１４の中央に設置され遠赤外線およびマイクロ紫外線を放射する４個の発熱灯管１１３のオン・オフについても制御パネル１２４で制御可能であり、遠赤外線の加熱効果と、マイクロ紫外線の殺菌効果とによる施療がなされるようになっている。
【００２１】
また、前記本体１２の前面にある制御パネル１２４の下に設けられる、給湯口１２５の送水管１２５０と、給水口１２６の送水管１２６０とにより、蒸気用水が蒸気製造機１２７に送られる。前記蒸気製造機１２７の動作が前記制御パネル１２４によって制御され、蒸気用水が、蒸気製造機１２７内で蒸発して蒸気となり、蒸気輸送管１２７０により横亘り板１２０にある複数の窪み面１２２に設けられる蒸気出口１２３に均一に送られて、プレート１２１が加熱される。プレート１２１は、前記の通り蒸気で加熱されることによって遠赤外線が放射されるようになっており、これにより施療が実現される。
【００２２】
また、図２と図６に示すように、床面に排水口がない場所に本考案の施療機を設置する場合のために、ＳＰＡの廃水が前記横亘り板１２０と前記主体１２との間の隙間を経由して水案内管１２００を進み貯水部１３２に流入させて貯水が可能となっている。また台座１３内の水位センサ１３１により貯水部１３２に流入した廃水の水位を測定し、廃水の水位が一定値になると、水位センサ１３１からの警告信号が制御パネル１２４に伝送されて、制御パネル１２４が音声または光を発生して被施療者や作業者等のユーザーに報知可能となっている。このとき、ユーザーにより貯水箱１３２内の廃水を排出することによって、ＳＰＡ水療を継続して楽しむことができる。
【図面の簡単な説明】
【００２３】
【図１】本考案の施療機の概略斜視図である。
【図２】本考案の施療機の台座の側面図である。
【図３】本考案の施療機の上蓋の窪み面を示す概略図である。
【図４】本考案の施療機の横亘り板とプレートとの組付方法を示す分解斜視図である。
【図５】本考案の施療機の横亘り板とプレートとの組合状態を示す図である。
【図６】本考案の施療機の蒸気製造の経路を示す図である。
【図７】本考案の施療機の水流噴射ノズルの管路を示す図である。
【符号の説明】
【００２４】
１０      施療機                    
１１      上蓋
１２      本体      
１３      台座                
１１０    支持ロッド                
１１１    油圧ロッド
１１２    窪み面
１１３    発熱灯管
１１４    水流噴射ノズル
１１５    マグネットスイッチ
１２０    横亘り板
１２１    プレート
１２２    窪み面
１２３    蒸気出口
１２４    制御パネル
１２５    給湯口
１２６    給水口
１２７    蒸気製造機
１３０    吸水ポンプ
１３１    水位センサ
１３２    貯水部１２０    横亘り板
【図１】
0003126591.tif 000003
【図２】
0003126591.tif 000004
【図３】
0003126591.tif 000005
【図４】
0003126591.tif 000006
【図５】
0003126591.tif 000007
【図６】
0003126591.tif 000008
【図７】
0003126591.tif 000009